(57)【要約】【課題】各種電子機器に用いられるタッチパネルに関し、視認性が良好で操作の行い易いものを提供することを目的とする。【解決手段】ＴＡＣフィルム７Ｂや７Ｃと偏光体７Ａや、偏光板７や上基板１、位相差板９を貼付する接着剤８や８Ａ内に、受酸剤を含有させることによって、高温高湿中で使用時に発生した酢酸を受酸剤が吸収し、ＴＡＣフィルム７Ｂや７Ｃの加水分解を抑止できるため、フィルムの変色や劣化を防ぎ、視認性が良好で操作の行い易いタッチパネルを得ることができる。【選択図】図１
2006195519.tif 000002
【特許請求の範囲】
【請求項１】
下面に上導電層が形成された光透過性の上基板と、上面に上記上導電層と所定の空隙を空けて対向する下導電層が形成された光透過性の下基板と、偏光体にトリアセチルセルロースフィルムが貼付され、上記上基板上面に貼付された偏光板からなり、上記偏光体とトリアセチルセルロースフィルム、または上記上基板と偏光板の少なくとも一方を、受酸剤を含有した光透過性の接着剤で貼付したタッチパネル。
【請求項２】
接着剤の受酸剤含有量を、０．２重量％〜２５重量％とした請求項１記載のタッチパネル。
【請求項３】
上基板上面と偏光板の間に、位相差板を貼付した請求項１記載のタッチパネル。
【請求項４】
偏光板上面に、光透過性のカバーシートを貼付した請求項１記載のタッチパネル。
【発明の詳細な説明】
【技術分野】
【０００１】
本発明は、主に各種電子機器の操作に用いられるタッチパネルに関するものである。
【背景技術】
【０００２】
近年、携帯電話やカーナビ等の各種電子機器の高機能化や多様化が進むに伴い、液晶等の表示素子の前面に光透過性のタッチパネルを装着して、このタッチパネルを通して背面の表示素子の表示を視認しながら、指やペン等でタッチパネルを押圧操作することによって、機器の各機能の切換えを行うものが増えており、視認性に優れ操作の確実なものが求められている。
【０００３】
このような従来のタッチパネルについて、図３を用いて説明する。
【０００４】
なお、構成を判り易くするために、図面は厚さ方向の寸法を拡大して表している。
【０００５】
図３は従来のタッチパネルの断面図であり、同図において、１はフィルム状で光透過性のポリカーボネート等の上基板、２は同じく光透過性の下基板で、上基板１の下面には酸化インジウム錫等の光透過性の上導電層３が、下基板２の上面には同じく下導電層４が各々形成されている。
【０００６】
そして、下導電層４上面には絶縁樹脂によって、複数のドットスペーサ（図示せず）が所定間隔で形成されると共に、上導電層３の両端には一対の上電極（図示せず）が、下導電層４の両端には、上電極とは直交方向の一対の下電極（図示せず）が各々形成されている。
【０００７】
また、５は額縁状のスペーサで、このスペーサ５の上下面に塗布形成された接着層（図示せず）によって、上基板１と下基板２の外周が貼り合わされ、上導電層３と下導電層４が所定の間隙を空けて対向している。
【０００８】
さらに、６Ａはポリビニルアルコール内にヨウ素や染料を配向させた偏光体、６Ｂはトリアセチルセルロースフィルム（以下、ＴＡＣフィルムと記載する）で、偏光体６Ａ上下面をＴＡＣフィルム６Ｂが挟持し貼付されて偏光板６が形成されると共に、この偏光板６が上基板１上面に載置され貼付されて、タッチパネルが構成されている。
【０００９】
そして、このように構成されたタッチパネルは、液晶表示素子等の前面に配置されて電子機器に装着されると共に、一対の上電極と下電極が機器の電子回路（図示せず）に接続される。
【００１０】
以上の構成において、タッチパネル背面の液晶表示素子の表示を視認しながら、偏光板６上面を指或いはペン等で押圧操作すると、偏光板６と共に上基板１が撓み、押圧された箇所の上導電層３が下導電層４に接触する。
【００１１】
そして、電子回路から上電極と下電極へ順次電圧が印加され、これらの電極間の電圧比によって、押圧された箇所を電子回路が検出し、機器の様々な機能の切換えが行われる。
【００１２】
また、この時、上方からの太陽光や灯火等の外部光は、偏光板６を透過する際、Ｘ方向及びこれと直交するＹ方向の光波が、偏光板６によりいずれかの方向のみの直線偏光となって、偏光板６から上基板１に入射する。
【００１３】
そして、この光が上基板１を透過し下導電層４で上方ヘ反射するが、この反射光は上記のように偏光板６によって略半減されているため、偏光板６上面から出射される反射が少なくなり、背面の液晶表示素子等が見易いように構成されているものであった。
【００１４】
なお、この出願の発明に関連する先行技術文献情報としては、例えば、特許文献１が知られている。
【特許文献１】特開２００２−２９７３１９号公報
【発明の開示】
【発明が解決しようとする課題】
【００１５】
しかしながら、上記従来のタッチパネルにおいては、タッチパネルが高温高湿中、例えば８５℃８５％ＲＨ中等で使用された場合、偏光板６の偏光体６Ａ上下面を挟持し貼付されているＴＡＣフィルム６Ｂに加水分解が生じ、特に加水分解ガスである酢酸が発生し始めると、この加水分解が加速され、急激にＴＡＣフィルム６Ｂに変色や劣化が進むため、偏光性が低下して、タッチパネル背面の液晶表示素子の表示等が見づらくなるという課題があった。
【００１６】
本発明は、このような従来の課題を解決するものであり、高温高湿で使用された場合でも、視認性が良好で操作の行い易いタッチパネルを提供することを目的とする。
【課題を解決するための手段】
【００１７】
上記目的を達成するために本発明は、以下の構成を有するものである。
【００１８】
本発明の請求項１に記載の発明は、偏光板の偏光体とトリアセチルセルロースフィルム、または上基板と偏光板の少なくとも一方を、受酸剤を含有した光透過性の接着剤で貼付してタッチパネルを構成したものであり、トリアセチルセルロースフィルムと偏光体または上基板を貼付する接着剤に、受酸剤を含有させることによって、高温高湿中で使用時に発生した酢酸を受酸剤が吸収し、トリアセチルセルロースフィルムの加水分解を抑止できるため、フィルムの変色や劣化を防ぎ、視認性が良好で操作の行い易いタッチパネルを得ることができるという作用を有する。
【００１９】
請求項２に記載の発明は、請求項１記載の発明において、接着剤の受酸剤含有量を、０．２重量％〜２５重量％としたものであり、良好な視認性が得られると共に、接着性の低下がなく、各構成部品を確実に保持することができるという作用を有する。
【００２０】
請求項３に記載の発明は、請求項１記載の発明において、上基板上面と偏光板の間に位相差板を貼付したものであり、請求項１記載の作用に加え、太陽光や灯火等の外部光が、偏光板と位相差板を通過し円偏光となって下導電層で上方ヘ反射した際、この反射光が位相差板によって直線偏光になって偏光板で遮断されるため、外部光の反射がなく、タッチパネル背面の液晶表示素子等が見易く、操作の行い易いものとすることができるという作用を有する。
【００２１】
請求項４に記載の発明は、請求項１記載の発明において、偏光板上面に光透過性のカバーシートを貼付したものであり、偏光板のトリアセチルセルロースフィルム上面を、カバーシートと接着剤で覆うことによって、フィルムの加水分解を抑止し変色や劣化を防止できると共に、加熱収縮率の大きな偏光板の上下を、カバーシートと上基板で挟持することによって、高温高湿中での偏光板の反りを防ぎ、操作の確実なタッチパネルを得ることができるという作用を有する。
【発明の効果】
【００２２】
以上のように本発明によれば、視認性が良好で操作の行い易いタッチパネルを実現することができるという有利な効果が得られる。
【発明を実施するための最良の形態】
【００２３】
以下、本発明の実施の形態について、図１及び図２を用いて説明する。
【００２４】
なお、構成を判り易くするために、図面は厚さ方向の寸法を拡大して表している。
【００２５】
また、背景技術の項で説明した構成と同一構成の部分には同一符号を付して、詳細な説明を簡略化する。
【００２６】
（実施の形態）
図１は本発明の一実施の形態によるタッチパネルの断面図であり、同図において、１はポリカーボネートやポリエーテルサルホン樹脂等の光学等方性でフィルム状の光透過性の上基板、２はガラスまたはポリカーボネート樹脂等の光学等方性で光透過性の下基板で、上基板１の下面には酸化インジウム錫や酸化錫等の光透過性の上導電層３が、下基板２の上面には同じく下導電層４が、スパッタ法等によって各々形成されている。
【００２７】
そして、下導電層４の上面にはエポキシやシリコン等の絶縁樹脂によって複数のドットスペーサ（図示せず）が所定間隔で形成されると共に、上導電層３の両端には銀やカーボン等の一対の上電極（図示せず）が、下導電層４両端には、上電極とは直交方向の一対の下電極（図示せず）が各々形成されている。
【００２８】
また、５は額縁状で不織布やポリエステルフィルム等のスペーサで、このスペーサ５の上下面に塗布形成されたアクリルやゴム等の接着層（図示せず）によって、上基板１と下基板２の外周が貼り合わされ、上導電層３と下導電層４が所定の間隙を空けて対向している。
【００２９】
さらに、７Ａはポリビニルアルコール内にヨウ素や染料を吸着させ延伸・配向させた偏光体、７Ｂ及び７Ｃはトリアセチルセルロースフィルム（以下、ＴＡＣフィルムと記載する）で、偏光体７Ａ上下面をＴＡＣフィルム７Ｂと７Ｃが挟持して偏光板７が形成されると共に、この偏光板７が上基板１上面に載置されている。
【００３０】
そして、偏光体７Ａの上下面には、ポリビニルアルコール樹脂等に０．２重量％〜２５重量％の、ハイドロタルサイト（Ｍｇ6Ａｌ2（ＯＨ）16ＣＯ3・４Ｈ2Ｏ）や、酢酸を吸収するパウダーが添加されたアクリレート系繊維等の、受酸剤を含有した光透過性の接着剤８が塗布され、この接着剤８によって偏光体７Ａ上下面にＴＡＣフィルム７Ｂと７Ｃが貼付されている。
【００３１】
また、９はポリカーボネートやゼオノア等のフィルムを延伸し複屈折性を持たせた１／４波長で可撓性の位相差板で、この位相差板９が上下面に塗布された、アクリルやポリスチレン、酢酸ビニル樹脂等に受酸剤を含有した光透過性の接着剤８Ａと８Ｂによって、上基板１上面と偏光板７の間に貼付されて、タッチパネルが構成されている。
【００３２】
そして、このように構成されたタッチパネルは、液晶表示素子等の前面に配置されて電子機器に装着されると共に、一対の上電極と下電極が機器の電子回路（図示せず）に接続される。
【００３３】
以上の構成において、タッチパネル背面の液晶表示素子の表示を視認しながら、偏光板７上面を指或いはペン等で押圧操作すると、位相差板９と共に上基板１が撓み、押圧された箇所の上導電層３が下導電層４に接触する。
【００３４】
そして、電子回路から上電極と下電極へ順次電圧が印加され、これらの電極間の電圧比によって、押圧された箇所を電子回路が検出し、機器の様々な機能の切換えが行われる。
【００３５】
また、この時、上方からの太陽光や灯火等の外部光は、偏光板７を透過する際、Ｘ方向及びこれと直交するＹ方向の光波のうち、例えば、偏光板７がＹ方向の光波を吸収するものであった場合、Ｘ方向の直線偏光となって偏光板７から位相差板９に入射する。
【００３６】
次に、この光は１／４波長の位相差板９を通過することによって、直線偏光が円偏光となって下導電層４で上方ヘ反射する。
【００３７】
そして、この反射光は、再び１／４波長の位相差板９を透過することによって、１／２波長ずれたＹ方向の直線偏光となって偏光板７に入射するが、偏光板７はＸ方向の光波だけを透過させるため、Ｙ方向の直線偏光である反射光は偏光板７で遮断される。
【００３８】
つまり、上方からタッチパネルに入射した外部光は、下導電層４で上方へ反射するが、この反射光は偏光板７で遮断され、操作面である偏光板７上面からは出射しないため、反射がなく、背面の液晶表示素子等の良好な視認性が得られるように構成されている。
【００３９】
また、偏光板７の偏光体７ＡとＴＡＣフィルム７Ｂや７Ｃ、及び偏光板７と位相差板９は接着剤８や８Ａで貼付され、ＴＡＣフィルム７Ｂ下面及びＴＡＣフィルム７Ｃの上下面は、受酸剤を含有した接着剤８や８Ａで覆われているため、高温高湿中、例えば８５℃８５％ＲＨ中等で使用され、ＴＡＣフィルム７Ｂや７Ｃに加水分解が生じ酢酸が発生しても、これを接着剤８や８Ａ内の受酸剤が吸収し、フィルムの加水分解を抑止するようになっている。
【００４０】
つまり、ＴＡＣフィルム７Ｂや７Ｃを偏光体７Ａや位相差板９に貼付する、接着剤８や８Ａ内の受酸剤が酢酸を吸収し、加水分解を抑止して、フィルムの変色や劣化を防ぐように構成されている。
【００４１】
このように本実施の形態によれば、ＴＡＣフィルム７Ｂや７Ｃと偏光体７Ａや位相差板９を貼付する接着剤８や８Ａ内に、受酸剤を含有させることによって、高温高湿中で使用時に発生した酢酸を受酸剤が吸収し、ＴＡＣフィルム７Ｂや７Ｃの加水分解を抑止できるため、フィルムの変色や劣化を防ぎ、視認性が良好で操作の行い易いタッチパネルを得ることができるものである。
【００４２】
そして、接着剤８や８Ａの受酸剤含有量を０．２重量％〜２５重量％、より好ましくは１重量％〜５重量％とすることによって、ＴＡＣフィルム７Ｂや７Ｃの加水分解を抑止し変色や劣化を防ぐことができると共に、２５重量％を超えた場合のような接着性の低下もなく、各構成部品を確実に保持することもできる。
【００４３】
なお、以上の説明では、偏光体７Ａ上下面の接着剤８、及び位相差板９上下面の接着剤８Ａや８Ｂ等、すべてを受酸剤が含有されたものとして説明したが、偏光体７Ａ上下面の接着剤８のみ、或いは、偏光体７Ａ上面の接着剤８と位相差板９上面の接着剤８Ａのみ、さらにはこれらのいずれかのみを受酸剤が含有された接着剤としても、本発明の実施は可能である。
【００４４】
また、接着剤８や８Ａ、８Ｂに含有する受酸剤として、上基板１や下基板２、位相差板９等に用いられるポリカーボネートやポリエーテルサルホン樹脂等の屈折率に近似した、屈折率１．５のハイドロタルサイトや、屈折率１．４５のアクリレート系繊維パウダー等を用いて説明したが、透過性を損なわない屈折率１．４〜１．６のものであれば、他のものを用いても実施が可能である。
【００４５】
そして、上基板１上面と偏光板７の間に位相差板９を貼付することによって、上記のような、ＴＡＣフィルム７Ｂや７Ｃの加水分解による変色や劣化を防ぐ作用に加え、太陽光や灯火等の外部光が、偏光板７と位相差板９を通過し円偏光となって下導電層４で上方ヘ反射した際、この反射光が位相差板９によって直線偏光になって偏光板７で遮断されるため、外部光の反射がなく、タッチパネル背面の液晶表示素子等が見易く、操作の行い易いものとすることができる。
【００４６】
さらに、上基板１に代えて、位相差板９下面に上導電層３を形成し、これを下導電層４と所定の間隙を空けて対向させた構成とすれば、上基板１が不要となって構成部品数が少なくなるため、安価にタッチパネルを形成することも可能となる。
【００４７】
また、図２の断面図に示すように、偏光板７上面に光透過性のカバーシート１０を、受酸剤を含有した光透過性の接着剤８Ｃで貼付することによって、偏光板７のＴＡＣフィルム７Ｂ上面がカバーシート１０で覆われ、ＴＡＣフィルム７Ｂへの湿気の侵入を防止できると共に、ＴＡＣフィルム７Ｂ上下面の接着剤８Ｃと８によって、加水分解による変色や劣化の防止をより確実に行うことができる。
【００４８】
なお、カバーシート１０を上基板１と同様の、８５℃２４時間放置後の加熱収縮率が０．０１％程度のポリカーボネートや、０．０２％程度のポリエーテルサルホン樹脂等で形成し、加熱収縮率が０．５％前後である偏光板７の上下を挟持することによって、高温高湿中での偏光板７の反りを防ぎ、タッチパネルの操作を確実なものとすることもできる。
【００４９】
さらに、図２に示すように、下基板２下面に位相差板９と同様の位相差板１１を貼付すれば、タッチパネル背面の液晶表示素子等の点灯光は、これをＹ方向の直線偏光としておけば、先ず１／４波長の位相差板１１、次に同じく１／４波長の位相差板９を透過することによって、１／２波長ずれたＸ方向の直線偏光となって偏光板７に入射し、偏光板７を透過して、操作面であるカバーシート１０上面から出射する。
【００５０】
つまり、液晶表示素子等からの点灯光は、位相差板１１と位相差板９を透過することによって、Ｘ方向の直線偏光となり、１／２波長ずれただけでカバーシート１０上面から出射されるため、上述した上方からの外部光の反射防止に加え、タッチパネル背面の液晶表示素子等の表示も明確に視認することが可能となる。
【産業上の利用可能性】
【００５１】
本発明によるタッチパネルは、視認性が良好で操作の行い易いものを提供することができるという有利な効果を有し、主に各種電子機器の操作用として有用である。
【図面の簡単な説明】
【００５２】
【図１】本発明の一実施の形態によるタッチパネルの断面図
【図２】同他の実施の形態による断面図
【図３】従来のタッチパネルの断面図
【符号の説明】
【００５３】
１  上基板
２  下基板
３  上導電層
４  下導電層
５  スペーサ
７  偏光板
７Ａ  偏光体
７Ｂ、７Ｃ  ＴＡＣフィルム
８、８Ａ、８Ｂ、８Ｃ  接着剤
９、１１  位相差板
１０  カバーシート
【図１】
2006195519.tif 000003
【図２】
2006195519.tif 000004
【図３】
2006195519.tif 000005
【手続補正書】
【提出日】平成17年1月27日(2005.1.27)
【手続補正１】
【補正対象書類名】明細書
【補正対象項目名】００３０
【補正方法】変更
【補正の内容】
【００３０】
そして、偏光体７Ａの上下面には、ポリビニルアルコール樹脂等に０．２重量％〜２５重量％の、ハイドロタルサイト（Ｍｇ6Ａｌ2（ＯＨ）16ＣＯ3・４Ｈ2Ｏ）や、酢酸を吸収するアクリレート系繊維パウダー等が添加された、受酸剤を含有した光透過性の接着剤８が塗布され、この接着剤８によって偏光体７Ａ上下面にＴＡＣフィルム７Ｂと７Ｃが貼付されている。